(57)【要約】【課題】特定地域内にその地域に見合った地域限定ポータルサイトを無償で提供する。【解決手段】地域情報を検索するための地域限定ポータルサイトをインターネット上に配信し、特定地域内のマンション、コンビニエンスストア、駅などにそれぞれ表示用端末装置を設置し、前記地域限定ポータルサイトを前記表示用端末装置に限定して配信し、また、地域限定ポータルサイトを配信するシステムはコンテンツ提供者からの広告代金によって運営される。【選択図】      図１
2004254147.tif 000002
【特許請求の範囲】
【請求項１】
サービス提供者が、特定地域に地域情報の提供を希望する地域情報提供者から地域情報を受け取り、当該地域情報を地域住人に提供するための地域情報提供システムであって、前記地域情報提供者から提供される特定地域内の地域情報が複数記憶され、当該地域情報を掲載するための地域限定ポータルサイトを通信手段上に配信するサービス提供者側のサーバ装置と、特定地域内の複数箇所の施設に設置され、前記通信手段を介して前記地域限定ポータルサイトを受信し、受信した前記地域限定ポータルサイトが表示画面に表示される表示用端末装置と、を有することを特徴とする地域情報提供システム。
【請求項２】
前記地域限定ポータルサイトでは複数の地域情報を所定の間隔で表示する連続表示情報が配信されることを特徴とする請求項１に記載の地域情報提供システム。
【請求項３】
前記表示用端末装置には前記地域限定ポータルサイトから地域情報を検索するための入力手段が設けられ、前記地域限定ポータルサイトでは前記入力手段による入力情報に応じて所定の地域情報を表示する選択表示情報が配信されることを特徴とする請求項１又は２に記載の地域情報提供システム。
【請求項４】
前記入力手段は、表示用端末装置と一体的に設けられたタッチパネルであることを特徴とする請求項３に記載の地域情報提供システム。
【請求項５】
前記表示用端末装置のうち少なくとも一つはＩＰｖ６アドレスが付された情報家電端末装置であることを特徴とする請求項１から４のいずれかに記載の地域情報提供システム。
【請求項６】
前記表示用端末装置は、液晶ディスプレイ、プラズマディスプレイ、及びエレクトロルミネセンスディスプレイのうちいずれかであることを特徴とする請求項１から５のいずれかに記載の地域情報提供システム。
【請求項７】
前記複数箇所の表示用端末装置のうち少なくとも一つは前記特定地域内の集合住宅内の前記通信手段に接続可能な場所に設置されることを特徴とする請求項１から６のいずれかに記載の地域情報提供システム。
【請求項８】
前記複数箇所の表示用端末装置のうち少なくとも一つは前記特定地域内のコンビニエンスストア、駅、スーパーマーケット、学校、事務所、及び公共施設のうち少なくとも一箇所の前記通信手段に接続可能な場所に設置されることを特徴とする請求項１から７のいずれかに記載の地域情報提供システム。
【請求項９】
前記サービス提供者側にコールセンターを設置し、前記地域限定ポータルサイトに前記コールセンターへの連絡手段を設けることを特徴とする請求項１から８のいずれかに記載の地域情報提供システム。
【請求項１０】
前記サーバ装置は、地域情報の配信先に対応した複数の地域限定ポータルサイトを有し、前記表示用端末装置に対応した地域限定ポータルサイトを配信することを特徴とする請求項１から９のいずれかに記載の地域情報提供システム。
【請求項１１】
前記地域情報提供者から提供される地域情報を前記地域情報提供者側のファクシミリ装置から前記通信手段を介し前記サーバ装置に入力する地域情報入力手段、又は、前記地域情報提供者から提供される地域情報を前記地域情報提供者側の端末装置から前記通信手段を介して前記サーバ装置に入力する地域情報入力手段を有することを特徴とする請求項１から１０のいずれかに記載の地域情報提供システム。
【請求項１２】
前記地域限定ポータルサイトにはサービス提供会社が独自に登録する情報が掲示されることを特徴とする請求項１から１１のいずれかに記載の地域情報提供システム。
【請求項１３】
前記通信手段に接続可能でＩＰｖ６アドレスが付される情報家電端末装置を有し、請求項１から１２のいずれかに記載の地域限定ポータルサイトが前記情報家電端末装置に配信されることを特徴とする集合住宅。
【発明の詳細な説明】
【０００１】
【発明の属する技術分野】
本発明は、特定の地域でその地域に見合った地域情報を提供する地域情報提供システムに関する。また、ＩＰＶ６対応の情報家電端末装置の普及を考え、ユビキタス社会に対応したシステムも視野に入れた、地域情報提供システムに関する。
【０００２】
【従来の技術】
ネットワーク技術の発展によって、パソコン（パーソナルコンピューター）などにインターネットを介して広告情報などの地域情報を提供する形態が多様化している。
【０００３】
一般にインターネット上の情報を検索するためには、検索エンジンやリンク集の機能を有するポータルサイトが使用される。従来のポータルサイトは全国など広い範囲かつ不特定人を対象としているため、地域に密着した情報を検索することが難しい。
【０００４】
また、近年では、マンションなどの集合住宅に予め世帯ごとにインターネット接続手段が備わっていることが多い。このようなマンションでは、各世帯が必要とする地域情報が共通するため、マンション用のホームページが用意されていることがある。
【０００５】
特許文献１に開示される地域限定サービス網によれば、インターネットへの接続手段を用いて地域限定サービスのための情報を送受しても、地域限定サービスの契約者とサービス提供業者のみが利用できる閉鎖的なネットワークを構築することができ、したがって、契約者は所望のネットサービスの画面に到達するまでの時間と手間を節約でき、サービス提供業者側も宅配コストや広告費用を節約できることが提案されている。
【０００６】
【特許文献１】
特開２００１−１８６１９０号公報
【０００７】
【発明が解決しようとする課題】
上記した特許文献１のシステムなどマンションに付属したサービスは、マンション居住者から徴収される管理費を用いて、マンション管理会社によって運営される。そのため、サービスの運営費用が増大すると住民の管理費が増額されるという問題がある。また、マンションの近隣地域においても、マンションのサービスを利用するためには費用が掛かる。
【０００８】
また、特許文献１のようなサービスによれば、各世帯の居住者は、パソコンなどの端末を使用していないときは、地域限定サービスの情報を閲覧することができない。また、世帯によって地域限定サービスを利用する頻度が異なるため、全ての居住者に一様に情報を提供することが難しい。そのため、居住者にとっては必要な情報を見逃すことがあり、地域情報提供者にとっては情報の伝達効率が良くないという問題がある。
【０００９】
また、特許文献１では、インターネットマンションと同様の地域情報サービスがインターネットマンション近隣の世帯に提供されることが提案されている。そのため、インターネットマンションに限定した情報を配信することができず、地域情報サービスがマンションに特化したサービスでなくなり、他のマンションとの差別化が難しい。
【００１０】
また、特定の地域の範囲内でも、地域情報を配信する施設や場所によって、サービス利用者が所望する情報は異なる。そのため、全ての端末が同じホームページにアクセスすると、例えば、マンションの管理情報が戸建て住宅にも配信されるなど施設や場所に関係の無い情報が提供されたり、さらにはある施設に限ったゴミ捨て情報が他の施設にも配信されるなど誤解を生じたりする。また、地域情報提供者にとっても地域内の特定の施設にのみ情報を配信したいが、他の施設にも配信されるため、地域情報を配信できないという問題がある。
【００１１】
また、施設や場所ごとに別個の地域限定サービスを提供すると、システムの整備や運用などの管理に労力や費用が必要になる。
【００１２】
また、特許文献１では、地域情報提供者、主に広告情報提供者からの広告情報は端末使用者が任意に検索して閲覧することが開示されている。そのため、端末使用者が興味を示さない広告情報は閲覧される頻度が低くなり、そのような広告情報の提供者にとっては広告効率が良くないという問題がある。さらに、サービス利用者にとっても検索などの作業をしなくても必要な情報は欲しいという要望もある。
【００１３】
また、特許文献１では、各世帯がインターネットに接続可能な端末を所有する必要があり、そのような端末を有しない世帯ではサービスを利用することができない、又は、サービスを利用するためにはシステム環境を整えなくてはならないという問題がある。
【００１４】
また、従来、ホームページを更新するためには、手動によって、地域情報提供者からの地域情報をサーバに入力し、ホームページのレイアウトを変更するなど編集を行い、変更後のホームページファイルをインターネットに配信する。そのため、サービス運用者が地域情報提供者から地域情報を受け取ってから、その情報がホームページにアップされるまである程度の時間を要する。これは、例えば、特定の地域のスーパーが本日の安売り情報を提供したり、特定の地域に限った緊急情報を提供したりするなど、情報がリアルタイムに提供されることが要求される場合には、情報提供からホームページに掲載されるまである程度のタイムラグが生じるため好ましくない。
【００１５】
また、地域限定ネットワークでは、スーパーや商店街などの地域に密着した店舗からの広告情報を提供することができる。一方で、このような店舗では、従来から新聞の折り込みチラシなどが用いられている。このチラシを郵送や配達でサービス運用者に提供するには時間が掛かり、また、チラシなど紙媒体をホームページに掲載するために加工することは手間が掛かるという問題がある。
【００１６】
そこで、本発明の目的としては、特定地域内の地域住人に地域情報をリアルタイムかつ効果的に配信することができるとともに、地域住民は無償で地域情報を得て活用することができ、さらに地域情報とともに広告情報を配信することで広告収入を得ることができる地域情報提供システムを提供することである。
【００１７】
【発明を解決するための手段】
本発明に係る第１の構成は、サービス提供者が、特定地域に地域情報の提供を希望する地域情報提供者から地域情報を受け取り、当該地域情報を地域住人に提供するための地域情報提供システムであって、前記地域情報提供者から提供される特定地域内の地域情報が複数記憶され、当該地域情報を掲載するための地域限定ポータルサイトを通信手段上に配信するサービス提供者側のサーバ装置と、特定地域内の複数箇所の施設に設置され、前記通信手段を介して前記地域限定ポータルサイトを受信し、受信した前記地域限定ポータルサイトが表示画面に表示される表示用端末装置と、を有することを特徴とする地域情報提供システムである。
【００１８】
本発明に係る第２の構成は、上記第１の構成において、前記地域限定ポータルサイトでは複数の地域情報を所定の間隔で表示する連続表示情報が配信されることを特徴とする地域情報提供システムである。
【００１９】
本発明に係る第３の構成は、上記第１又は２の構成において、前記表示用端末装置には前記地域限定ポータルサイトから地域情報を検索するための入力手段が設けられ、前記地域限定ポータルサイトでは前記入力手段による入力情報に応じて所定の地域情報を表示する選択表示情報が配信されることを特徴とする地域情報提供システムである。
【００２０】
本発明に係る第４の構成は、上記第３の構成において、前記入力手段は、表示用端末装置と一体的に設けられたタッチパネルであることを特徴とする地域情報提供システムである。
【００２１】
本発明に係る第５の構成は、上記第１から第４のいずれかの構成において、前記表示用端末装置のうち少なくとも一つはＩＰｖ６アドレスが付された情報家電端末装置であることを特徴とする地域情報提供システムである。
【００２２】
本発明に係る第６の構成は、上記第１から第５のいずれかの構成において、前記表示用端末装置は、液晶ディスプレイ、プラズマディスプレイ、及びエレクトロルミネセンスディスプレイのうちいずれかであることを特徴とする地域情報提供システムである。
【００２３】
本発明に係る第７の構成は、上記第１から第６のいずれかの構成において、前記複数箇所の表示用端末装置のうち少なくとも一つは前記特定地域内の集合住宅内の前記通信手段に接続可能な場所に設置されることを特徴とする地域情報提供システムである。
【００２４】
本発明に係る第８の構成は、上記第１から第７のいずれかの構成において、前記複数箇所の表示用端末装置のうち少なくとも一つは前記特定地域内のコンビニエンスストア、駅、スーパーマーケット、学校、事務所、及び公共施設のうち少なくとも一箇所の前記通信手段に接続可能な場所に設置されることを特徴とする地域情報提供システムである。
【００２５】
本発明に係る第９の構成は、上記第１から第８のいずれかの構成において、前記サービス提供者側にコールセンターを設置し、前記地域限定ポータルサイトに前記コールセンターへの連絡手段を設けることを特徴とする地域情報提供システムである。
【００２６】
本発明に係る第１０の構成は、上記第１から第９のいずれかの構成において、前記サーバ装置は、地域情報の配信先に対応した複数の地域限定ポータルサイトを有し、前記表示用端末装置に対応した地域限定ポータルサイトを配信することを特徴とする地域情報提供システムである。
【００２７】
本発明に係る第１１の構成は、上記第１から第１０のいずれかの構成において、前記地域情報提供者から提供される地域情報を前記地域情報提供者側のファクシミリ装置から前記通信手段を介し前記サーバ装置に入力する地域情報入力手段、又は、前記地域情報提供者から提供される地域情報を前記地域情報提供者側の端末装置から前記通信手段を介して前記サーバ装置に入力する地域情報入力手段を有することを特徴とする地域情報提供システムである。
【００２８】
本発明に係る第１２の構成は、上記第１から第１１のいずれかの構成において、前記地域限定ポータルサイトにはサービス提供会社が独自に登録する情報が掲示されることを特徴とする地域情報提供システムである。
【００２９】
本発明に係る第１３の構成は、前記通信手段に接続可能でＩＰｖ６アドレスが付される情報家電端末装置を有し、上記第１から第１２のいずれかの構成の地域限定ポータルサイトが前記情報家電端末装置に配信されることを特徴とする集合住宅である。
【００３０】
【発明の実施の形態】
以下、本発明に係る実施の形態について図面を参照して説明する。なお、本実施の形態における例示が本発明を限定することはない。
【００３１】
（第１の実施の形態）
以下、本発明を有効に実施できる地域情報提供システムの第１の実施の形態について説明する。
【００３２】
本第１の実施の形態に係る地域情報システムは、サービス提供者が、特定地域内に見合った地域情報を提供するための地域限定ポータルサイトを作成し、特定地域内の複数施設に設けた表示用端末装置に地域限定ポータルサイトを配信し、特定地域内の不特定の地域住人に地域情報を提供するものである。前記表示用端末装置はマンションの共用部又は専用部、コンビニエンスストア、駅、バス停、市役所、学校、事務所などに設置される。
【００３３】
また、本地域情報システムは、地域情報システムを使用して地域住人に広告情報の提供を希望するコンテンツ提供者が支払う広告代金を用いて運営され、地域住民は無償で地域情報を得ることができる。
【００３４】
以下、地域情報提供システムの運営方法の一例について図１を用いて説明する。
【００３５】
図１は、地域情報提供システムの全体構成を説明するための図である。
【００３６】
図１に示すように、サービス提供会社１は、コンテンツ提供者２からの広告情報を地域住人３へ提供するための広告システム１００を運営し、地域住人３に広告の提供を希望しているコンテンツ提供者２と広告システム１００の使用について契約を行なう。
【００３７】
また、サービス提供会社１は、特定地域内のディスプレイが掲示される施設４と、サービスの使用について契約を行う。そして、サービス提供会社１は、ディスプレイ設置施設４にディスプレイが設置されると、当該ディスプレイに広告システム１００を使用して地域情報を配信する。ディスプレイは、ディスプレイ設置施設４側で用意され、又はサービス提供会社１側で用意される。また、ディスプレイは既存のディスプレイを用いることもできる。
【００３８】
コンテンツ提供者２は、広告代金をサービス提供会社１に支払う。そして、サービス提供会社１は、広告システム１００を使って地域住人３に広告情報を配信する。これによって、コンテンツ提供者２は、地域住人３に効率的に広告情報を提供することができる。
【００３９】
また、サービス提供会社１は、コンテンツ提供者２から徴収した広告代金を使って広告システム１００を運営する。
【００４０】
このように、地域住人３にとっては、地域内の近隣の店舗などから有効な広告情報を無償で簡単に得ることができる
また、広告システム１００において広告情報の配信先は、マンションやコンビニエンスストアなど特定地域内の複数の施設を含むため、多数の地域住人に広告情報を提供することができる。そのため、コンテンツ提供者は、広告配信地域を限定しながら、広告情報源である店舗などの近隣の住人に特定して広告情報を提供し得る。
【００４１】
また、このような広告によってコンテンツ提供者の利益が拡大すれば広告代金が増化するため、広告システム１００の内容を改善し、地域住人３により便利なサービスを提供することができる。
【００４２】
広告システム１００の一例について図２を参照して説明する。
【００４３】
図２は、広告システム１００の全体構成を説明するための図である。
【００４４】
図２において、コンテンツ提供者２は、新聞折り込みチラシ１０や手書き広告１１などの広告情報を、ファクシミリ１２を使用し通信手段の一形態としての電話回線８０を介してサービス提供会社１に送信する。
【００４５】
本広告システム１００では、特定地域内にその地域に密着した情報を提供することができる。そのため、特定地域内のスーパーマーケットや商店街などからの広告情報を効果的に広告できる。このような店舗では、従来インターネット上での広告に対してコスト・技術・効果などの点から価値を見出せずに参入を見送ることが多かった。そのため、本広告システム１００を用いるときに既存の設備で簡単に広告情報を提供できることが要望される。本第１の実施の形態では、このような問題に鑑み、従来の広告媒体である新聞折り込みチラシや手書き広告を、ファクシミリ装置を用いて電話回線８０を介してサービス提供会社１に送信することができる。
【００４６】
サービス提供会社１は、ＬＡＮ（Ｌｏｃａｌ  Ａｒｅａ  Ｎｅｔｗｏｒｋ）２００上に、コンテンツ提供者２からの広告情報を受信して処理する業務サーバ２０と、コンテンツ提供者情報が保存されるデータ−ベース（ＤＢ）サーバ３０と、インターネットなどの通信ネットワークに接続されるｗｗｗ（ｗｏｒｌｄ  ｗｉｄｅ  ｗｅｂ）サーバ４０とを設けている。ルーター５０は、ＬＡＮ２００上に設置され、通信手段の一形態としてのインターネット９０を介して送信される情報を各サーバに割り振り、かつ各サーバからインターネット９０上に情報を配信する。また、モデム６０は、ＬＡＮ２００上に設置され、コンテンツ提供者２からファクシミリ１２によって電話回線８０を介して送信される広告情報を受信し、各サーバに送信する。
【００４７】
本第１の実施の形態では、前記業務サーバ２０、前記ＤＢサーバ３０、及び前記ｗｗｗサーバ４０からなる３つのサーバ装置を使用しているが、これらの機能を１つのサーバ装置に行なわせることもできる。また、サービス提供会社がサーバ装置を所有する他にも、サーバ装置の維持管理を外部に請け負わせることもできる。
【００４８】
前記業務サーバ２０は、ＬＡＮ２００上の各装置との通信を制御する通信制御部２１と、コンテンツ提供者２から送信される広告情報を受信する広告情報受信部２２と、受信した広告情報をファクシミリデータからホームページ用のコンテンツに処理する地域情報処理手段としての広告情報処理部２３と、処理した広告情報をｗｗｗサーバ４０に送信する広告情報送信部２４と、受信した広告情報に関するコンテンツ提供者情報をＤＢサーバ３０に送信するコンテンツ提供者情報送信部２５とを有する。
【００４９】
前記広告情報処理部２３では、ファクシミリデータをＢＭＰ（ｂｉｔ  ｍａｐ）ファイル・ＪＰＥＧ（Ｊｏｉｎｔ  Ｐｈｏｔｏｇｒａｐｈｉｃ  ＥｘｐｅｒｔＧｒｏｕｐ）ファイル・ＰＤＦ（Ｐｏｒｔａｂｌｅ  Ｄｏｃｕｍｅｎｔ  Ｆｏｒｍａｔ）ファイルなどの画像データに処理し、必要であれば画面サイズに合わせて画像のサイズを変更する。また、前記コンテンツ提供者情報送信部２５では、受信した広告情報にファイル名を付し、広告情報のファイル名と広告情報の送信元の電話番号と受信した日時をＤＢサーバ３０に送信する。
【００５０】
前記ＤＢサーバ３０は、ＬＡＮ２００上の各装置との通信を制御する通信制御部３１と、業務サーバ２０から送信されるコンテンツ提供者情報を蓄積するコンテンツ提供者情報ＤＢが記憶された地域情報提供者情報記憶手段としてのＤＢ記憶部３３と、ｗｗｗサーバ４０からの検索要求に応じて前記コンテンツ提供者情報ＤＢを検索する地域情報提供者情報検索手段としての検索制御部３２とを有する。
【００５１】
前記コンテンツ提供者情報ＤＢには、業務サーバ２０から送信されるコンテンツ提供者情報として広告情報のファイル名、送信元ファクシミリ番号、及び受信日時が記憶される。また、コンテンツ提供者情報ＤＢには、予めコンテンツ提供者２の店舗名と電話番号、広告契約期間が記憶され、業務サーバ２０から送信されるコンテンツ提供者情報から、店舗名と広告契約期間がわかるようになっている。そして、広告情報が、契約店舗からのものであり、広告契約期間中であることを確認することができる。
【００５２】
前記ｗｗｗサーバ４０は、ＬＡＮ２００上の各装置との通信を制御する通信制御部４１と、業務サーバ２０から送信される広告情報を記憶する地域情報記憶手段としての広告情報記憶部４２と、ＤＢサーバ３０上のコンテンツ提供者情報ＤＢを検索するためのＤＢ検索要求部４３と、前記広告情報記憶部４２の広告情報や前記ＤＢ検索要求部４３による検索結果を用いながら表示情報としてのホームページを自動に生成するための表示情報作成手段としてのホームページ自動生成部４４と、生成されたホームページを後述する表示用端末装置７０にインターネット９０を介して配信する表示情報配信手段としてのホームページ配信部４５と、表示用端末装置７０からのログインを確認するログイン確認手段（不図示）とを有する。
【００５３】
前記ホームページ自動生成部４４では、地域情報を限定して検索することができる地域限定ポータルサイトのひな型があらかじめ作成されてあって、そのポータルサイトの表示画面にコンテンツ提供者２からの広告情報を組み込むようになっている。地域限定ポータルサイトは、いくつかのメニューが表示されるメインページと、メインページのメニュー表示からリンクされるメニューページと、さらにメニューページごとにリンクされる複数の下層ページとからなる。例えば、メインページには広告情報をカテゴリー別にメニュー表示し、メニューページには広告情報の詳細をインデックス表示し、下層ページには広告情報そのものを表示することで、広告情報を階層に分類して検索可能に構成する。
【００５４】
また、前記ホームページ自動生成部４４では、操作が行われない状態で広告情報が閲覧可能な待機画面用ホームページが作成される。待機画面用ホームページは、ディスプレイ上に複数の広告情報を一定の間隔で順次切り換えて表示する、いわゆるスライドショーのようなページである。
【００５５】
また、特定地域内の複数箇所の施設６には、それぞれ、ディスプレイ９０と、入力部であるタッチパネル７６とを有し、インターネット９０に接続可能なパソコン（パーソナルコンピューター）などの表示用端末装置７０が設けられる。
【００５６】
前記表示用端末装置７０は、サービス提供会社１のｗｗｗサーバ４０との通信をインターネット９０を介して制御する通信制御部７１と、ｗｗｗサーバ４０から受信したホームページを処理する表示情報制御部７２と、表示情報制御部７２で処理されたホームページをディスプレイ７５に表示させるディスプレイ制御部７３と、タッチパネル７６からの入力信号を処理するタッチパネル制御部７４とを有する。
【００５７】
前記ディスプレイ７５としては、ブラウン管によるものや液晶によるもの、プラズマディスプレイ、エレクトロルミネセンスディスプレイを用いることができる。この他にも、表示用端末装置７０にプロジェクターを使って壁面に投影することもできる。
【００５８】
前記タッチパネル７６の他にも、入力部としてペン入力やボタン入力、キーボード入力、音声入力によるもの、さらにはリモコン操作や携帯電話によるものを用いることができる。
【００５９】
本第１の実施の形態に係る表示用端末装置７０は、図６に示すように、マンション、コンビニエンスストア、駅、バス停、ホテル、学校、市役所、事務所など特定地域内の複数箇所の施設に設置される。また、カーナビゲーションの画面に本広告システムを組み込むことやＩＰｖ６対応情報家電に組み込むことも可能である。
【００６０】
例えば、マンションは、居住者の世帯である専用部と、それ以外の居住者が共同して使用するエントランス部や廊下などの共用部とを有する。
【００６１】
マンションの共用部であるエントランス部６には、図４に示すように、入口３０１と、郵便受け３０２と、管理人窓口３０３と、インターホン３０４と、オートロック方式のドア３０５と、上記したディスプレイ７５とが設けられている。ディスプレイ７５は、マンション内で地域住人３が通行するときに目にとまりやすい場所に設けるとよく、図４の他にも、共用部である廊下・階段やエレベータなどに設置することができる。また、ディスプレイ７５は、共用部の壁面に掛けたり、共用部に設置した設置台の上に置いたり、共用部の壁面に嵌め込むようにして設置することができる。また、マンションの各住居内に設けることもできる。
【００６２】
マンションの専用部である各世帯には、ＩＰｖ６対応の情報家電端末を設け、この端末に上記した表示用端末装置７０として地域限定ポータルサイトを配信することができる。情報家電端末としては、常に電源が入った状態の家電として冷蔵庫や電話などに、ディスプレイを組み込んだものを使用することができる。このような情報家電端末のディスプレイは常に地域限定ポータルサイトを表示することができるため、居住者は家庭内で地域情報を閲覧することができる。また、コンテンツ提供者にとっても地域住人に効率良く情報を提供することができる。なお、前記情報家電端末はマンションに限らず、特定地域内の一戸建ての世帯や宿泊施設などにも設置することができる。
【００６３】
また、コンビニエンスストアなどの店舗では、レジスターの金額表示のための画面を設け、その画面に地域限定ポータルサイトを表示する画面を組み込むことも可能である。また、店頭や陳列棚に新たにディスプレイを設けてもよい。
【００６４】
また、駅では、プラットホームの看板設置スペースにディスプレイが嵌め込まれたりする。
【００６５】
このような広告システム１００によれば、コンテンツ提供者２から提出された広告情報を、サービス提供会社１の社内で操作するだけで、即時に特定施設内の複数箇所の施設に設置されたディスプレイ７５に掲示することができる。
【００６６】
この広告システム１００を使ってディスプレイ７５に表示する情報は、地域のお買物情報や飲食店情報、地域限定のお買得情報などの広告情報のほか、必要に応じて、自治体や地域サークルからの連絡情報、行政情報（指名手配犯等情報、選挙情報、及び税務情報など）、私的情報（迷い犬探しや家庭教師募集など）などに使用することができる。
【００６７】
また、地域限定ポータルサイトのコンテンツには、マンション共用部の貸し出しや空き室オークションの機能を含ませることができる。
【００６８】
マンション共用部の貸し出し機能によれば、マンションの共用部である集会所やレクリエーション施設などのうち、利用されていないものについて、マンション近隣の住人に貸し出す案内を、地域限定ポータルサイトを使用して地域住人に知らせることができる。
【００６９】
また、空き室オークション機能によれば、マンションのうち分譲時に売れ残った物件を地域ポータルサイト内で不特定多数の人を対象にオークションを開き、参加者同士の価格設定により決定した価格で売買を行うことを促進することができる。
【００７０】
また、この広告システム１００を使用するにあたり、使用者と入会に関する契約を行い、会員に限定した会員特典を提供するサービスを実施し、この会員特典情報をホームページ上に表示させることもできる。また、この会員に対してメールマガジンを配信することで広告収入を得ることもできる。さらには、この会員情報を利用して各企業に売り込みを行うことも可能である。
【００７１】
次に、広告システム１００の動作の一例について図３のフローチャートを用いて説明する。図３のフローチャートでは各工程にステップ番号を付し説明する。
【００７２】
図３に示す例では、表示用端末装置７０のディスプレイ７５に、広告情報の新着順に表示させ、表示画面の更新を適宜に行なう。
【００７３】
図３において、業務サーバ２０では、コンテンツ提供者２が送信するファックスデータから構成される広告情報を広告情報受信部２２で受信し（Ｓ０１）、広告情報処理部２３でファックスデータを画像データに処理し、必要であればサイズの変更などの画像処理を行い（Ｓ０２）、広告情報送信部２４でｗｗｗサーバ４０に送信し（Ｓ０３）、ｗｗｗサーバ４０上の広告情報記憶部４２に記憶させる（Ｓ０４）。また、広告情報のファイル名と送信元電話番号と受信日時からなるコンテンツ提供者情報をＤＢサーバ３０に送信し（Ｓ０５）、ＤＢサーバ３０上のコンテンツ提供者情報ＤＢに登録する（Ｓ０６）。
【００７４】
表示用端末装置７０は、表示情報制御部７２によって例えば所定の時間ごとにｗｗｗサーバ４０にアクセスする（Ｓ０７）。
【００７５】
ｗｗｗサーバ４０では、表示用端末装置７０からのアクセスに応じてＤＢ検索要求部４３が起動し、広告情報の新着順のファイル名を検索するようにＤＢサーバ３０に検索要求をする（Ｓ０８）。
【００７６】
ＤＢサーバ３０では、ｗｗｗサーバ４０からの要求を受けて、コンテンツ提供者情報ＤＢから広告情報を受信日時の新しいものから順に検索し（Ｓ０９）、検索した広告情報のファイル名をｗｗｗサーバ４０に送信する（Ｓ１０）。
【００７７】
ｗｗｗサーバ４０では、その検索結果に応じて広告情報が受信日時の降順に並んだ表示画面ａを作成し（Ｓ１１）、その表示画面ａを表示用端末装置７０に送信する（Ｓ１２）。そして、表示用端末装置７０は、表示画面ａを受信してディスプレイ７５に表示する（Ｓ１３）。
【００７８】
ディスプレイ７５に表示画面ａが表示された状態で所定の時間が経過すると、再びｗｗｗサーバ４０にアクセスを繰り返す（Ｓ１４）。
【００７９】
また、同様の操作で、マンションの地域住人３がお買得品情報を検索するように入力すると、ｗｗｗサーバ４０とＤＢサーバ３０を介して、ディスプレイ７５にお買得品情報が表示されるようにすることもできる。
【００８０】
次に、上記した広告システム１００でのディスプレイ７５の表示画面の一例について図５を用いて説明する。
【００８１】
図５は、ディスプレイ７５の表示画面の一例を示す図である。
【００８２】
図５（ａ）はディスプレイ７５のトップ画面４００の一例である。表示用端末装置７０が起動してサービス提供会社１のｗｗｗサーバ４０にアクセスしたときに最初に表示される画面である。
【００８３】
図５（ａ）において、「お知らせ」４１０部分には、「お買物情報」４１１、「お買得情報」４１２、「自治体からの連絡」４１３、「行政情報」４１４、及び「私的情報」４１５の見出しが表示され、タッチパネル７６によってそれぞれの見出し部を選択することでそれぞれの選択画面が表示される。また、「お得情報」４２０には、上述した表示画面ａのように新着順４２１〜４２５の広告情報が見出しで表示され、タッチパネル７６によってそれぞれの見出し部を選択することでそれぞれの選択画面が表示される。前記「お得情報」４２０に表示される広告情報は、適宜に更新されるようになっている。
【００８４】
図５（ｂ）は、図５（ａ）の「お得情報」４２０で「新鮮な魚が激安！」４２２を選択したときに表示される詳細な広告情報画面５００である。
【００８５】
図５（ｂ）において、詳細な広告情報画面５００には、コンテンツ提供者である○○鮮魚店からファクシミリ１２などでサービス提供会社１に送信された広告情報が、広告システム１００を介して表示されている。また、画面上の「トップへ」５０２を選択すると上記したトップ画面４００が表示され、「前へ」５０３を選択するとこの広告情報の直前の情報が表示され、「次へ」５０４を選択するとこの広告情報の直後の情報が表示される。これが請求項３における選択表示情報である。
【００８６】
本第１の実施の形態では、表示用端末装置７０のディスプレイ７５に電源が投入されると、図５（ａ）に示すトップ画面４００が表示される。
【００８７】
トップ画面４００が表示されて所定の時間が経過すると、複数の広告情報が一定の間隔（例えば数秒）で表示されるいわゆるスライドショーのような待機画面になる。これが請求項２における連続表示情報である。
【００８８】
前記待機画面が表示される間に、表示用端末装置７０のタッチパネル７６に地域住人３が触れると、図５（ａ）に示すトップ画面４００が表示される。
【００８９】
前記トップ画面４００では、上記したように、タッチパネル７６により各見出しを選択することで、図５（ｂ）に示す広告情報画面５００などそれぞれの選択画面が表示される。
【００９０】
また、前記選択表示モードで各画面が表示されたまま所定の時間が経過した場合は、前記連続表示モードに切り替わる。
【００９１】
ディスプレイ７５の表示方法は、上記した例に限定されることはなく、ｗｗｗサーバ４０上のホームページ自動生成部４４の設定を変更するなどして変えることができる。例えば、各広告情報の店舗名にリンク情報を設定し店舗名を選択することで店舗の所在や営業時間を表示する画面が表示されるようにすることもできる。また、待機画面などに動画の情報を表示させたり、各表示画面に音声や音楽を流すようにしたりすることもできる。
【００９２】
次に、コンテンツ提供者２から提出される広告情報の処理方法について説明する。
【００９３】
コンテンツ提供者２から提出される広告情報は、上記したファクシミリ１２によるものだけではなく、その他にもさまざまな場合が考えられる。例えば、新聞の折り込みチラシや手書き広告を郵送や手渡しで紙媒体のまま提出する場合、ホームページ用のコンテンツやオンライン広告のために作成された画像・文字データをＣＤ（コンパクトディスク）などの記録媒体に保存して提出する場合、コンテンツ提供者２の不図示の端末装置からこれらの画像・文字データを通信ネットワークを介して提出する場合などが考えられる。なお、これらの広告情報は、その他にも本広告システム用に編集されたものでもよい。
【００９４】
紙媒体による広告情報の場合、サービス提供会社１では、紙媒体上の広告情報を不図示のイメージスキャナで不図示の端末装置に読込み画像データにし、その画像データを端末装置から業務サーバ２０に送信し、業務サーバ２０の広告情報処理部２３でホームページ用のコンテンツに処理し、その後は上記した例と同様の処理が行われる。
【００９５】
また、記録媒体に保存された画像・文字データによる広告情報の場合、サービス提供会社１では、記録媒体から端末装置を介して又は直接に業務サーバ２０に広告情報を読み込み、業務サーバ２０の広告情報処理部２３でホームページ用のコンテンツに処理し、その後は上記した例と同様の処理が行われる。
【００９６】
また、通信ネットワークを介した画像・文字データによる広告情報の場合、コンテンツ提供者２から送信される広告情報の接続先をサービス提供会社１の端末装置や業務サーバ２０にして、上記したように端末装置や業務サーバ２０から広告情報を読み込むことができる。また、ｗｗｗサーバ４０に登録フォームを設置しておき、コンテンツ提供者２がこの登録フォームを使って広告情報をｗｗｗサーバ４０に直接に送信し、ｗｗｗサーバ４０の広告情報記憶部４２に記憶させることもできる。
【００９７】
このように、本第１の実施の形態では、コンテンツ提供者２は任意の方法で広告情報を広告システム１００に入力することができる。そのため、広告システム１００を使用するときにコンテンツ提供者２は新しい設備を購入する必要がない。また、ファクシミリ１２を使用することで、手書きで作成した広告を広告システム１００を使用して即時に表示用端末装置７０に表示できるため、マンションの地域住人３にリアルタイムな情報を簡単に提供することができる。
【００９８】
以上説明したように、本第１の実施の形態によれば、特定地域内で当該地域に見合った地域情報を地域住人３にとって利用しやすい場所で提供できるため、地域情報を地域住人３に効率的に提供することができる。
【００９９】
また、広告システムは、コンテンツ提供者からの広告代金で運営されるため、地域住人３は無償でこのサービスを受けることができる。また、広告代金の一部をディスプレイ設置施設４に還元することでディスプレイ設置施設４は収益を得ることができ、より多くの施設に表示用端末装置７０が設置されることを促すことができる。
【０１００】
また、マンションのエントランス部６のようなその居住者が必ず通行する場所や、コンビニエンスストアや駅など特定地域内の不特定人が集まる場所で広告情報が提供され、地域住人３や通行人が広告情報を強制的に見ることになるため、コンテンツ提供者２は高い広告効果を得ることができる。
【０１０１】
また、ディスプレイ７５の待機画面に連続的に広告情報を表示させるため、通行中の地域住人３に視覚的な効果を与え注意を引かせることができ、また、地域住人３などは立ち止まって操作をすることなく適度な情報を得ることができる。
【０１０２】
（第２の実施の形態）
以下、本発明を有効に実施できる地域情報提供システムの第２の実施の形態について説明する。
【０１０３】
本第２の実施の形態は、上記した第１の実施の形態と同様の構成であるため、以下の説明では本第２の実施の形態に特徴的な部分について説明する。
【０１０４】
上記した地域情報提供システムで使用される広告情報は、ｗｗｗサーバ４０上にホームページ用のコンテンツとして保存してある。
【０１０５】
そして、これらのホームページは、マンションの地域住人３及び地域住人のパーソナルコンピューターやＩＰｖ６に対応した情報家電端末装置、携帯電話装置などの不図示の端末装置を利用して閲覧することができる。この場合、地域住人３らはホームページから各コンテンツ提供者２に通信ネットワークを介して発注や問い合わせをすることができる。
【０１０６】
また、地域住人３らはｗｗｗサーバ４０上のホームページを介してコンテンツ提供者２へ発注などを行なうことから、コンテンツ提供者２は、地域住人３の発注などのアクセスが地域情報提供システムを介したものであると判断することができる。
【０１０７】
また、ｗｗｗサーバ４０上のコンテンツの利用にはアクセス制限がされ、マンションの地域住人３など契約者のみが閲覧できるように設定してあり、周辺の別のマンションなどのサービスと差別化を行うようにすることができる。
【０１０８】
以上説明したように、本第２の実施の形態によれば、上記した第１の実施の形態と同様の効果を得ることができるとともに、地域住人３側の端末装置からｗｗｗサーバ４０上のホームページを閲覧することができるため、地域住人３が各居住スペースからも地域情報提供システムの広告情報を活用することができる。そのため、地域住人３は、表示用端末装置７０のディスプレイ７５に表示された広告情報を通行中に見て気になった際に、各居住スペースに戻ってから時間をかけて見ることができるようになる。
【０１０９】
さらに、地域住人３側の端末装置から広告システム１００を使って発注などができるため、地域住人３はさらに有効に広告システム１００を使用することができる。また、コンテンツ提供者２にとっては、地域住人３からの発注などが地域情報提供システムを使用したものであると判別できるため、このシステムの有用性を認識することができる。
【０１１０】
（第３の実施の形態）
以下、本発明を有効に実施できる地域情報提供システムの第３の実施の形態について説明する。
【０１１１】
本第３の実施の形態は、上記した第１の実施の形態と同様の構成であるため、以下の説明では本第３の実施の形態に特徴的な部分について説明する。
【０１１２】
本第３の実施の形態は、広告システム１００と連携した２４ｈコールセンターを設け、その２４ｈコールセンターへの連絡手段を広告システム１００に設けることを特徴とする。
【０１１３】
本広告システム１００は、地域に密着した情報を提供するとともに、地域住人の生活に密着した情報を提供することができる。例えば、地域内の病院、学校、レストランやスポーツクラブなど各種サービス産業の情報を提供することができる。
【０１１４】
このような広告システム１００では、地域住人がディスプレイ７５に表示される各種情報を閲覧しているときに、その情報についてさらに詳しい内容を知りたいという要望や不明な箇所を確かめたいという要望が出てくることもある。
【０１１５】
このような要望に即時に応答するために、サービス提供会社１に広告システム１００と連携した２４ｈコールセンターを設ける。この２４ｈコールセンターは一日中２４時間受け付け可能とすることで、地域住人の各種の要望に応答することができる。
【０１１６】
本広告システム１００では、ｗｗｗサーバ４０のホームページ自動生成部４４で、広告情報とともに２４ｈコールセンターへの連絡先として例えば電話番号が表示されたホームページを作成する。
【０１１７】
以上説明したように、本第３の実施の形態によれば、上記した第１の実施の形態と同様の効果を得ることができるとともに、地域住人が広告情報を閲覧しているときに詳しい内容が知りたいときや不明な箇所を確かめたいときなどに、即時に２４ｈコールセンターに電話やＩＰ電話、インターネットなどを使用して問い合わせを行うことができる。
【０１１８】
（第４の実施の形態）
以下、本発明を有効に実施できる地域情報提供システムの第４の実施の形態について説明する。
【０１１９】
本第４の実施の形態は、上記した第１の実施の形態と同様の構成であるため、以下の説明では本第４の実施の形態に特徴的な部分について説明する。
【０１２０】
上記した第１の実施の形態では、ｗｗｗサーバ４０からインターネット上に配信されるホームページは、特定地域内の複数箇所の施設に設置された表示用端末装置７０のディスプレイ７５に掲載される。そのため、一方の施設にとって有効な情報を配信すると、他方の施設にも同様の情報が配信されるため、無用の情報が配信されたり、それによって誤解を生じたりする場合がある。
【０１２１】
本第４の実施の形態は、このような問題を解決するためになされたものであり、ｗｗｗサーバ４０から配信するホームページが表示用端末装置７０ごとに作成される。
【０１２２】
ｗｗｗサーバ４０では、ホームページ自動生成部４４によって、予め表示用端末装置７０ごとにホームページが作成される。このホームページは、一つの表示用端末装置７０に一種類作成されても良いし、同じような施設に設置される表示用端末装置７０ごとに一種類作成されても良い。
【０１２３】
各表示用端末装置７０は、起動時に、各施設に対応したホームページが表示されるように設定されている。
【０１２４】
表示用端末装置７０や地域内の施設６ごとのホームページとしては、例えば、所定のマンションにのみマンション管理組合からのお知らせに関する情報（図５（ｃ）に示すようなエレベータ点検情報など）を表示したり、ゴミの回収日が異なる地域ごとにそれぞれゴミの回収日のお知らせに関する情報を表示したりすることができる。
【０１２５】
以上説明したように、本第４の実施の形態によれば、上記した第１の実施の形態と同様の効果を得ることができるとともに、端末装置や施設ごとに配信する情報を分けることができるため、所定の施設に限定した情報を配信することができ、また、閲覧者が他の施設の情報を見て誤解することを防止することができる。
【０１２６】
（第５の実施の形態）
以下、本発明を有効に実施できる地域情報提供システムの第５の実施の形態について説明する。
【０１２７】
本第５の実施の形態は、上記した第１の実施の形態と同様の構成であるため、以下の説明では本第５の実施の形態に特徴的な部分について説明する。
【０１２８】
上記した第４の実施の形態では表示用端末装置７０や地域内の施設６ごとにホームページが作成され、それぞれに対応した広告情報を提供することができる。一方、コンテンツ提供者２は表示用端末装置７０又は地域内の施設６を指定して広告情報を配信したいという要望がある。しかし、サービス提供会社１がコンテンツ提供者２からの要望を聞き取り、手動で広告情報を選別して各ホームページに掲載する方法では、労力と時間を要する。
【０１２９】
本第５の実施の形態は、このような問題を解決するためになされたものであり、コンテンツ提供者１が端末装置や施設を指定して広告情報を提供することができる。
【０１３０】
サービス提供会社１側では、上記した第４の実施の形態に示したように、表示用端末装置７０や地域内の施設６ごとにホームページを作成する。
【０１３１】
コンテンツ提供者２がファクシミリ１２を用いて広告情報を提供する場合では、サービス提供会社１はファクシミリ用の電話回線を複数回線用意する。
【０１３２】
業務サーバ２０において広告情報受信部２２で電話回線ごとに広告情報を受信し、ｗｗｗサーバ４０において広告情報記憶部４２で電話回線ごとに広告情報を記憶し、ホームページ自動生成部４４で電話回線ごとに記憶された広告情報に基づいて複数のホームページを作成する。
【０１３３】
一方、サービス提供会社１は、コンテンツ提供者１に各電話回線に通じる複数のファクシミリ番号、及びファクシミリ番号に対応したホームページの配信先である端末装置や施設を通知する。
【０１３４】
そして、コンテンツ提供者１は、広告情報の配信を希望する端末装置や施設に対応したファクシミリ番号宛に広告情報を送信する。
【０１３５】
また、コンテンツ提供者２が端末装置を用いて広告情報を提供する場合では、サービス提供会社１は広告情報を送信するための案内画面に、端末装置や施設などの配信先を選択する項目を作成するなどして、広告情報の配信先を決定することができる。
【０１３６】
以上説明したように、本第５の実施の形態によれば、上記した第１の実施の形態と同様の効果を得ることができるとともに、コンテンツ提供者１側で広告情報の配信先を選ぶことができ、その広告情報を即時に地域住人に提供することができる。
【０１３７】
【発明の効果】
以上説明したように、本発明の地域情報提供システムによれば、特定地域内に、当該地域に見合った地域情報を地域住人にとって利用しやすい場所で提供できるため、地域情報を地域住人に効率的に提供することができる。
【０１３８】
また、地域情報提供システムは地域情報提供者からの広告代金によって運用されるため、地域住人は無償で地域情報を得ることができる。また、広告代金の一部をコンビニなどの表示用端末装置設置施設に還元することで、コンビニなどは収益を得ることができる。
【０１３９】
また、表示用端末装置は特定地域内の種々の施設に設置されるため、特定地域内のより多くの地域住人が地域情報を閲覧することができる。同時に、表示用端末装置が複数箇所に設置されると、広告代金が増収することになって、地域住人にさらにサービスを提供することができるとともに、コンビニなどに還元する広告代金を増額することができる。
【０１４０】
また、地域限定ポータルサイトは、サービス提供者側のサーバ装置によって、地域情報提供者からの地域情報がリアルタイムに表示用端末装置に配信されるため、地域住人に地域に密着したリアルタイムな地域情報を配信することができる。
【０１４１】
また、地域情報提供システムはコールセンターと連携しているため、より地域に密着した詳細な情報を地域住人に提供することができる。
【０１４２】
さらに、ＩＰｖ６対応の情報家電端末装置に広告情報や地域情報がスライドショーのように表示されるため、住人は家事などをしながらの情報収集が可能になるので時間を有効に使うことができ、またそれは広告主にとってもより効果的な広告の配信ができるということになる。
【図面の簡単な説明】
【図１】本第１の実施の形態に係る地域情報提供システムの運営方法を説明するための図である。
【図２】本第１の実施の形態に係る広告システムを説明するための図である。
【図３】本第１の実施の形態に係る広告システムの使用方法を説明するためのフローチャートを示す図である。
【図４】本第１の実施の形態に係るディスプレイの設置例を説明するための図である。
【図５】本第１の実施の形態に係るディスプレイの表示例を説明するための図であり、（ａ）はトップ画面、（ｂ）は詳細な広告情報画面、（ｃ）はエレベータ点検情報画面を示す図である。
【図６】本第１の実施の形態に係るディスプレイの設置場所を説明するための図である。
【符号の説明】
１    サービス提供会社
２    コンテンツ提供者
３    地域住人
４    ディスプレイ設置施設
６    地域の施設
１０    新聞折り込みチラシ
１１    手書き広告
１２    ファクシミリ
２０    業務サーバ
２１    通信制御部
２２    広告情報受信部
２３    広告情報処理部
２４    広告情報送信部
２５    広告提供者情報送信部
３０    ＤＢサーバ
３１    通信制御部
３２    検索制御部
３３    ＤＢ記憶部
４０    ｗｗｗサーバ
４１    通信制御部
４２    広告情報記憶部
４３    ＤＢ検索要求部
４４    ホームページ自動生成部
４５    ホームページ配信部
５０    ルーター
６０    モデム
７０    共用部端末装置
７１    通信制御部
７２    表示画面制御部
７３    ディスプレイ制御部
７４    タッチパネル制御部
７５    ディスプレイ
７６    タッチパネル
８０    電話回線
９０    インターネット
１００    広告システム
２００    ＬＡＮ
３０１    入口
３０２    郵便受け
３０３    管理人窓口
３０４    インターホン
３０５    オートロックドア
４００    トップ画面
４１０    「お知らせ」部分
４１１〜４１５    「お知らせ」の見出し
４２０    「お得情報」部分
４２１〜４２５    「お得情報」の見出し
５００    詳細な広告情報画面
５０１    詳細な広告情報
５０２    「トップへ」部分
５０３    「前へ」部分
５０４    「次へ」部分
６００    エレベータ点検情報画面
６０１    エレベータ点検情報
６０１    「トップへ」部分
【図１】
2004254147.tif 000003
【図２】
2004254147.tif 000004
【図３】
2004254147.tif 000005
【図４】
2004254147.tif 000006
【図５】
2004254147.tif 000007
【図６】
2004254147.tif 000008